(57)【特許請求の範囲】
【請求項１】
エアゾール容器の上端周縁部に装着できるキャップであって、このキャップ本体の略中央部にはエアゾール容器の上端部に設けられているバルブステムと連結する内容液噴射用の押下ボタンが配備されたボタンキャップにおいて、
キャップ本体は、内側筒部材とこの内側筒部材の外側で上下に摺動可能な外側筒部材とからなり、
前記内側筒部材の下端部にはエアゾール容器の上端周縁部を外側から保持する保持部が設けられ、この保持部には上下方向に複数の切欠部を設け、
前記外側筒部材は、その下端部で前記保持部の外周に接合する保持部接合部を有し、
これにより、キャップをエアゾール容器から離脱させる場合には、外側筒部材を上方に摺動させて、その保持部接合部が前記内側筒部材の保持部の接合から離脱され、内側筒部材の下端の保持部が半径方向外側に拡径可能となることによって、エアゾール容器の上端周縁部から離脱させることができ、
他方、エアゾール容器の上端周縁部に装着する場合には、前記内側筒部材の下端保持部をエアゾール容器の上端周縁部の外側に装着させて配置し、外側筒部材を下方に摺動させることによりその保持部接合部が内側筒部材の下端保持部を外側から接合して前記保持部の拡径を阻止して装着でき、
前記内側筒部材には、その上端部分にも上下方向に複数の切欠部を設け、
前記外側筒部材には、その上端部に前記内側筒部材の上端部分を半径方向中心部に向けて押圧する押圧部を設け、この押圧部の少し上方の内側筒部材には押圧受部を設け、
これにより、キャップをエアゾール容器から離脱させる場合には、外側筒部材を上方に摺動させて、前記押圧部が内側筒部材の押圧受部を半径方向中心部に向けて押圧し、内側筒部材の下端の保持部が半径方向外側に拡開することによって、エアゾール容器の上端周縁部から離脱させることができ、
他方、エアゾール容器の上端周縁部に装着する場合には、前記内側筒部材の下端保持部をエアゾール容器の上端周縁部を囲繞するように装着し、外側筒部材を下方に摺動させることによりその保持部接合部が内側筒部材の下端保持部の拡径を阻止して装着できることを特徴とするエアゾール容器のボタンキャップ。
【請求項２】
前記内側筒部材の押圧受部が半径方向外側に膨出する膨出部からなり、この押圧受部を押圧する外側筒部材の上端部分が押圧部を成し、後者の押圧部が上方に摺動することにより前者の押圧受部を半径方向中心部に向けて押圧できることを特徴とする請求項１に記載のエアゾール容器のボタンキャップ。
【請求項３】
前記内側筒部材をその上方の細径部と下方の太径部とから構成し、これら細径部と太径部との間には平面部が形成され、
同様に、前記外側筒部材をその上方の細径部と下方の太径部とから構成し、これらの細径部と太径部の境界部が前記平面部に当接することを特徴とする請求項１又は２に記載のエアゾール容器のボタンキャップ。
【請求項４】
前記外側筒部材の上下摺動範囲を規制する摺動範囲規制手段を設け、この摺動範囲規制手段が、外側筒部材の内周面に設けた凸部と、内側筒部材の外周面に設けた凹部からなることを特徴とする請求項１乃至３の何れか１項に記載のエアゾール容器のボタンキャップ。
【請求項５】
前記押下ボタンが上方に垂立する本体部と、この本体部の上端部分で略水平方向に延長して設けられた噴口部とからなり、
前記本体部の略中央部分の外径を本体部の上下の端部部分の外径よりも小さく形成し、
これにより、キャップ本体がエアゾール容器の上端周縁部から離脱した際に、当該押下ボタンの本体部が内側筒部材の略中央部に設けられた貫通穴から離脱しないことを特徴とする請求項１乃至４の何れか１項に記載のエアゾール容器のボタンキャップ。
【請求項６】
前記押下ボタンが、内側筒部材の略中央部に設けられた貫通穴内に配備され、当該貫通穴の上方内周面部に突出部を設け、又は、前記押下ボタンの下端部外周部に突起部を設け、
これにより押下ボタンが内側筒部材から離脱しないように構成したことを特徴とする請求項１乃至５の何れか１項に記載のエアゾール容器のボタンキャップ。
【発明の詳細な説明】
【技術分野】
【０００１】
本発明は、エアゾール容器の上端周縁部に装着される噴射ボタン付きキャップに関するものであり、より詳しくは、当該キャップの略中央部に押下ボタンが配備され、この押下ボタンを押し下げることにより、エアゾール容器の内容液が外部に噴射されるボタンキャップに関し、他の新しいエアゾール容器に簡単に付け替えることのできるものに関する。
【背景技術】
【０００２】
従来のこの種のボタンキャップとしては、下記特許文献に記載のものを挙げることができる。
下記特許文献１に記載のキャップにおいては、再充填可能なエアゾール容器の開口側円筒状部に取付けるネジキャップの締めトルクのばらつきを防止して、開口側円筒状部とシール部材との過度な密接状態を防止し、ネジキャップの取り付け・取り外しの簡単化，安定化を図ることを課題としたものである。
【０００３】
その構成は、ネジキャップを、従動爪を有し容器本体の開口側円筒状部に螺合する内筒状キャップと、駆動爪および回動操作面を有する外筒状 キャップとから成る。
従動爪および駆動爪は回動方向に対する直交面と斜面とを有している。
ネジキャップを容器本体に取り付けるときには斜面同士が当接し、また取り外すときには直交面同士が当接して、操作トルクを伝達する。
取り付けるときには一定以上の操作トルクを加えると斜面同士が滑り、外筒状キャップは空回りして操作トルクが内筒状キャップに伝達されないものである。
【０００４】
下記特許文献２に記載のボタンキャップにおいては、環状凹部を備えたエアゾール容器に直接取り付けられるボタンキャップであって、使用時は、外れるおそれが小さく、脱着時は、容易に取り外したり、取り付けたりすることができるものを提供することを課題としている。
【０００５】
その構成は、筒状のキャップ本体と、筒状の押ボタンと、キャップ本体の両側面の下端に設けられた脱着機構とを備えたものである。 この脱着機構は、ヒンジ部と、係合片とから構成されており、係合片は、ヒンジ部より上の押部と、ヒンジ部より下の係合部とからなる。 押部を半径方向内側に押すことにより、係合部が半径方向外側に開き、エアゾール容器の被せ部と突起との係合が一部外れる構成である。
【先行技術文献】
【特許文献】
【０００６】
【特許文献１】特開２０１２−１７１２９号公報
【特許文献２】特開２００８−２５４７３９号公報
【発明の概要】
【発明が解決しようとする課題】
【０００７】
本願発明においては、上記従来のキャップとエアゾール容器との装着構造又は係合構造とは異なる構造を採用し、より簡単に、ワンタッチで、キャップ本体をエアゾール容器の上端周縁部に冠着又は装着できるボタンキャップを提供し、これにより使用を終えたエアゾール容器の上端周縁部から離脱させ、新しいエアゾール容器の上端周縁部に簡単に冠着又は装着できる付け替え容易なボタンキャップを提供することをその第一の課題としている。
また、このワンタッチ付け替え操作も、極めて容易に適切に行われるようにすることも本願発明の課題である。
【０００８】
更に、本願発明においては、その先端で噴口を成す内部流通路を有する押下ボタンが配備されており、この押下ボタンは、キャップ本体の略中央部で上下に移動可能に配備され、この押下ボタンの基端部がエアゾール容器の上端部に設けられたバルブステムと接続するのであるが、この押下ボタンとキャップ本体との関係構造をもより適切なものとして形成する必要があり、この両者の関係構造の最適化も本願発明の課題となる。
即ち、キャップ本体がエアゾール容器から分離された際に、当該押下ボタンが、キャップ本体から分離されてしまうと、付け替え作業に手間を要することとなるため、この手間を排除することも本願発明の課題となる。
【課題を解決するための手段】
【０００９】
上記課題を解決するために、本発明の第１のものは、エアゾール容器の上端周縁部に装着できるキャップであって、このキャップ本体の略中央部にはエアゾール容器の上端部に設けられているバルブステムと連結する内容液噴射用の押下ボタンが配備されたボタンキャップにおいて、キャップ本体は、内側筒部材とこの内側筒部材の外側で上下に摺動可能な外側筒部材とからなり、前記内側筒部材の下端部にはエアゾール容器の上端周縁部を外側から保持する保持部が設けられ、この保持部には上下方向に複数の切欠部を設け、前記外側筒部材は、その下端部で前記保持部の外周に接合する保持部接合部を有し、これにより、キャップをエアゾール容器から離脱させる場合には、外側筒部材を上方に摺動させて、その保持部接合部が前記内側筒部材の保持部の接合から離脱され、内側筒部材の下端の保持部が半径方向外側に拡径可能となることによって、エアゾール容器の上端周縁部から離脱させることができ、他方、エアゾール容器の上端周縁部に装着する場合には、前記内側筒部材の下端保持部をエアゾール容器の上端周縁部の外側に装着させて配置し、外側筒部材を下方に摺動させることによりその保持部接合部が内側筒部材の下端保持部を外側から接合して前記保持部の拡径を阻止して装着でき、前記内側筒部材には、その上端部分にも上下方向に複数の切欠部を設け、前記外側筒部材には、その上端部に前記内側筒部材の上端部分を半径方向中心部に向けて押圧する押圧部を設け、この押圧部の少し上方の内側筒部材には押圧受部を設け、これにより、キャップをエアゾール容器から離脱させる場合には、外側筒部材を上方に摺動させて、前記押圧部が内側筒部材の押圧受部を半径方向中心部に向けて押圧し、内側筒部材の下端の保持部が半径方向外側に拡開することによって、エアゾール容器の上端周縁部から離脱させることができ、他方、エアゾール容器の上端周縁部に装着する場合には、前記内側筒部材の下端保持部をエアゾール容器の上端周縁部を囲繞するように装着し、外側筒部材を下方に摺動させることによりその保持部接合部が内側筒部材の下端保持部の拡径を阻止して装着できることを特徴とするエアゾール容器のボタンキャップである。
【００１０】
（削除）
【００１１】
本発明の第２のものは、上記第１の発明において、前記内側筒部材の押圧受部が半径方向外側に膨出する膨出部からなり、この押圧受部を押圧する外側筒部材の上端部分が押圧部を成し、後者の押圧部が上方に摺動することにより前者の押圧受部を半径方向中心部に向けて押圧できることを特徴とするエアゾール容器のボタンキャップである。
【００１２】
本発明の第３のものは、上記第１又は第２の発明において、前記内側筒部材をその上方の細径部と下方の太径部とから構成し、これら細径部と太径部との間には平面部が形成され、同様に、前記外側筒部材をその上方の細径部と下方の太径部とから構成し、これらの細径部と太径部の境界部が前記平面部に当接することを特徴とするエアゾール容器のボタンキャップである。
【００１３】
本発明の第４のものは、上記第１乃至第３の何れかの発明において、前記外側筒部材の上下摺動範囲を規制する摺動範囲規制手段を設け、この摺動範囲規制手段が、外側筒部材の内周面に設けた凸部と、内側筒部材の外周面に設けた凹部からなることを特徴とするエアゾール容器のボタンキャップである。
【００１４】
本発明の第５のものは、上記第１乃至第４の何れかの発明において、前記押下ボタンが上方に垂立する本体部と、この本体部の上端部分で略水平方向に延長して設けられた噴口部とからなり、前記本体部の略中央部分の外径を本体部の上下の端部部分の外径よりも小さく形成し、これにより、キャップ本体がエアゾール容器の上端周縁部から離脱した際に、当該押下ボタンの本体部が内側筒部材の略中央部に設けられた貫通穴から離脱しないことを特徴とするエアゾール容器のボタンキャップである。
【００１５】
本発明の第６のものは、上記第１乃至第５の何れかの発明において、前記押下ボタンが、内側筒部材の略中央部に設けられた貫通穴内に配備され、当該貫通穴の上方内周面部に突出部を設け、又は、前記押下ボタンの下端部外周部に突起部を設け、これにより押下ボタンが内側筒部材から離脱しないように構成したことを特徴とするエアゾール容器のボタンキャップである。
【００１６】
（削除）
【００１７】
（削除）
【発明の効果】
【００１８】
本発明の第１のものにおいては、エアゾール容器の上端周縁部、即ちマウンテンカップの周縁部が加締められている部分に、キャップ本体の内側筒部材の下端内周縁部に設けられている保持部が外側から保持し、且つ、外側筒部材の下端の保持部接合部が前記保持部の外周を外側から囲繞するように保持して、内側筒部材の保持部の拡径が阻止されてエアゾール容器の上端周縁部の保持が確実に行われ、キャップ本体の装着又は冠着が確実に行われる。
【００１９】
他方、キャップ本体をエアゾール容器の上端周縁部から離脱させる際には、外側筒部材を上方に摺動させて移行することにより、外側筒部材の下端部の保持部接合部も上方に移行して、この保持部接合部の内側筒部材の保持部への接合が解除されて、その保持部の拡径が可能となる。
この状態で内側筒部材を上方に移行させると、その保持部がエアゾール容器の上端周縁部から離脱することとなるのである。
【００２０】
このように、本発明においては、内側筒部材の下端部に設けられた保持部に切欠部を設けることにより、当該保持部の内径及び外径が拡縮することができ、この保持部の拡径及び縮径を外側筒部材の接合の有無により規制することができ、これによってキャップをエアゾール容器から簡単に着脱することができるものである。
【００２１】
本発明においては、内側筒部材及び外側筒部材の構成をより具体化したものである。
即ち、内側筒部材には、その上端部分にも上下方向に複数の切欠部を設け、外側筒部材には、その上端部に前記内側筒部材の上端部分を半径方向中心部に向けて押圧する押圧部を設け、この押圧部の少し上方の内側筒部材には押圧受部を設けたものである。
これにより、キャップ本体をエアゾール容器の上端周縁部から離脱させる際には、外側筒部材を上方に摺動させて移行することにより、外側筒部材の上方部分に形成された押圧部が内側筒部材の上方部分に形成された押圧受部を半径方向中心部に押圧して、内側筒部材の下端保持部が半径方向外側に拡開される。
【００２２】
というのも、保持部にはその上下方向に切れ目又は切欠部が形成されているために、内側筒部材の上方の押圧受部が半径方向中心部に押圧されると、下端保持部は逆に半径方向外側に拡開することとなるからである。
これにより、内側筒部材の下端保持部は良好に簡単にエアゾール容器の上端周縁部から離脱され、分離されるのである。
【００２３】
本発明の第２のものにおいては、上記第１の発明における押圧部と押圧受部の構成をより具体化したものである。
即ち、内側筒部材の押圧受部として、これを半径方向外側に膨出する膨出部から形成し、この押圧受部を押圧する外側筒部材の上端部分を押圧部とし、後者の外側筒部材を上方に摺動させることにより内側筒部材の押圧受部を半径方向中心部に向けて押圧できるようにしたものである。
【００２４】
本発明の第３のものにおいては、上記内側筒部材と外側筒部材の構成をより具体化したものである。
即ち、内側筒部材をその上方の細径部と下方の太径部とから構成し、これら細径部と太径部との間に平面部を形成し、同様に、外側筒部材をその上方の細径部と下方の太径部とから構成し、これらの細径部と太径部の境界部が前記平面部に当接するように形成したものであり、これにより、外側筒部材は内側筒部材から下方に抜け落ちる恐れが無くなる。
尚、この構成も選択的な要素であり、仮に外側筒部材が下方に抜け落ちる構成を採用しても、エアゾール容器に本発明に係るボタンキャップを取り付けることにより、容器の上端外周面により外側筒部材は下方に抜け落ちる恐れはないのである。
【００２５】
本発明の第４のものにおいては、外側筒部材の上下摺動範囲を規制する摺動範囲規制手段を設けたものであり、これにより、外側筒部材の上下の摺動範囲が規定され、外側筒部材が内側筒部材から分離されてしまうことがない。
尚、この摺動範囲規制手段も、選択的な構成要素であり、これを設けずに実施することも可能である。
【００２６】
本発明の第５のものにおいては、押下ボタンをより具体化したものである。
即ち、押下ボタンを上方に垂立する本体部と、この本体部の上端部分で略水平方向に延長して設けられた噴口部とから形成し、この本体部の略中央部分の外径を本体部の上下の端部部分の外径よりも小さく形成したことにより、キャップ本体がエアゾール容器の上端周縁部から離脱した際に、当該押下ボタンの本体部が内側筒部材の略中央部に設けられた貫通穴から離脱しないようにしたものである。
【００２７】
本発明の第６のものにおいても、その効果は、上記第５の発明と同じであるが、押下ボタンが配備される内側筒部材の略中央部に設けられた貫通穴の上方内周面部に突出部を設け、又は、押下ボタンの下端部外周部に突起部を設けたものである。
【００２８】
（削除）
【００２９】
（削除）
【図面の簡単な説明】
【００３０】
【図１】本発明のボタンキャップに係る第１実施形態を図示したものであり、その（Ａ）が正面図、その（Ｂ）が平面図、その（Ｃ）が底面図、その（Ｄ）が（Ｂ）図のＤ−Ｄ線断面図、（Ｅ）がエアゾール容器の上端部分の斜視図である。
【図２】上記実施形態に係るボタンキャップを示しており、エアゾール容器に装着されている状態を示し、その（Ａ）が平面図、その（Ｂ）が（Ａ）図のＢ−Ｂ線拡大断面図、その（Ｃ）が斜視図である。
【図３】上記実施形態に係るボタンキャップを示しており、エアゾール容器と分離できる状態を示し、その（Ａ）が平面図、その（Ｂ）が（Ａ）図のＢ−Ｂ線拡大断面図、その（Ｃ）が斜視図である。
【図４】上記実施形態に係るボタンキャップの内側筒部材を図示しており、その（Ａ）が平面図、その（Ｂ）が正面図、その（Ｃ）が底面図、その（Ｄ）が（Ａ）図のＤ−Ｄ線断面図、その（Ｅ）が（Ａ）図のＥ−Ｅ線断面図である。
【図５】本発明のボタンキャップに係る第２実施形態を図示したものであり、その（Ａ）が装着状態の正面図、その（Ｂ）が（Ａ）図のＢ−Ｂ線断面図、その（Ｃ）が分離直前の正面図、その（Ｄ）が（Ｃ）図のＤ−Ｄ線断面図を示している。
【図６】上記第２実施形態に係る外側筒部材を図示しており、その（Ａ）が正面図、その（Ｂ）が平面図、その（Ｃ）が底面図、その（Ｄ）が斜視図、その（Ｅ）が（Ａ）図のＥ−Ｅ線断面図である。
【図７】上記第２実施形態に係る内側筒部材と押下ボタンを図示しており、その（Ａ）が正面図、その（Ｂ）が平面図、その（Ｃ）が底面図、その（Ｄ）が斜視図、その（Ｅ）が（Ａ）図のＥ−Ｅ線断面図である。
【発明を実施するための形態】
【００３１】
以下、添付の図面と共に本発明の実施形態について説明する。
図１は、本発明のボタンキャップに係る第１実施形態を図示したものであり、その（Ａ）が正面図、その（Ｂ）が平面図、その（Ｃ）が底面図、その（Ｄ）が（Ｂ）図のＤ−Ｄ線断面図、（Ｅ）がエアゾール容器の上端部分の斜視図である。
【００３２】
本発明の第１実施形態に係るボタンキャップは、キャップ本体１０と押下ボタン２０とから成る。
キャップ本体１０は、外側に位置する外側筒部材１１と、その外側筒部材１１の内側に位置する内側筒部材１２とから成る。
外側筒部材１１は、上記内側筒部材１２の外側で上下に摺動することができる。
押下ボタン２０は、上下方向に垂立する本体部２１とその上部で略水平方向に延長する噴口部２２とからなり、上記本体部２１が内側筒部材１２の中央上下方向の貫通穴１８内で上下動可能に挿通されている。この押下ボタン２０は、次の図２にて更に説明を加える。
【００３３】
図１においては、外側筒部材１１が最下端に位置した状態を図示しており、この状態が（Ｅ）図に示したエアゾール容器Ｙの上端周縁部Ｊに冠着又は装着されたときの状態である（実際に装着する際には、後に詳述するが、外側筒部材１１を上方に摺動し、その後この外側筒部材１１を下方に移動して装着する。）。
【００３４】
この実施形態においては、内側筒部材１２の下端部分が保持部１３となっており、この保持部１３の内周縁に環状突条部１３ｔが設けられている。
この保持部１３の環状突条部１３ｔが（Ｅ）図に示したエアゾール容器Ｙの上端周縁部Ｊの下縁に適合し、保持することができる。
即ち、上記保持部１３及び環状突条部１３ｔがエアゾール容器Ｙの上端周縁部Ｊを外側から保持する保持部を構成する。
【００３５】
エアゾール容器Ｙの上端周縁部Ｊというのは、エアゾール容器Ｙの上端部のマウンテンカップＭの周縁部を加締めて形成した環状の周縁部のことを意味し、この環状の周縁部Ｊの下縁を上記保持部１３の環状突条部１３ｔが適合し又は係合して、キャップ本体１０がエアゾール容器Ｙの上端周縁部Ｊに冠着され又は装着されるのである。
【００３６】
そして、この内側筒部材１２の外周に位置する外側筒部材１１の下端部の保持部接合部１４が上記保持部１３の外周を保持し、保持部１３が半径方向外側に拡開することを阻止する。
これにより、内側筒部材１２の保持部１３は、エアゾール容器Ｙの上端周縁部Ｊから離脱することができないこととなるのである。
【００３７】
他方、内側筒部材１２の上端部分にあっては、その長手方向に複数の切欠部１５ｋが設けられ、この上端部分は、半径方向外側に膨出する膨出部１５が形成され、この膨出部１５が押圧受部を成すのである。この内側筒部材１２の構成は、後の図４にて詳細に説明する。
この押圧受部（膨出部１５）は、外側筒部材１１の上端部１６が上方に摺動することにより、この上端部１６が押圧部となり、この押圧部が前記押圧受部を半径方向中心部に向かって内側筒体１２の上端部を押圧するのである。
【００３８】
この押圧部による押圧受部の押圧作用により、その反作用として、内側筒部材１２の下端の保持部１３の筒状壁面部が外側に拡開するのである。
というのも、この保持部１３の筒状壁面部にも上下方向に複数の切欠部１３ｋが設けられており、上記内側筒部材１２の上端部分の半径方向中心部への押圧力の半作用により、下端の保持部１３が半径方向外側に拡開するのである。
【００３９】
これにより、内側筒部材１２の下端の保持部１３が拡開し、保持部１３は、エアゾール容器Ｙの上端周縁部Ｊから離脱することができるのである。
更に、この実施形態においては、外側筒部材１１の上下の摺動範囲（ストローク）を規制する手段が設けられているが、この上下摺動範囲規制手段は、後の図２において説明する。
【００４０】
キャップ本体１０について、更に詳説すると、外側筒部材１１及び内側筒部材１２の何れも、上方の細径部と下方の太径部とから構成されている。
内側筒部材１２においては、これらの細径部と太径部との間に平面部１７が設けられており、この平面部１７に、外側筒部材１１の細径部と太径部との間の境界部に設けられた段部１９及び壁面部３０の下端が当接している。
【００４１】
これら段部１９と壁面部３０の存在により、外側筒部材１１の下方への移動又は移行が阻止され、外側筒部材１１と内側筒部材１２の下端縁を同一位置に設定することができ、且つ、下方への抜け落ちが防止される。
勿論、上記のような細径部と太径部とから成る外側筒部材１１と内側筒部材１２の形態、並びに、上記段部１９と壁面部３０を設けずに、本発明に係るボタンキャップを実施することができるが、この実施形態においては、使い勝手の良さを考慮して、これらを設けている。  
【００４２】
図１（Ｄ）中、２１ｂは、押下ボタン２０の下端面に設けられたステム接続部を示し、このステム接続部２１ｂは、エアゾール容器Ｙの上端部に設けられたバルブステムＳに嵌合し接続される。
押下ボタン２０については、後の図２において再度説明する。
上記した構成部材である外側筒部材１１、内側筒部材１２及び押下ボタン２０は、何れも合成樹脂製である。
【００４３】
図２は、上記実施形態に係るボタンキャップを示しており、エアゾール容器に装着されている状態を示し、その（Ａ）が平面図、その（Ｂ）が（Ａ）図のＢ−Ｂ線拡大断面図、その（Ｃ）が斜視図である。
この図２は、前図１と同じ状態である。
【００４４】
この図２を用いて、押下ボタン２０について説明すると、押下ボタン２０は、上方に垂立する本体部２１と、その上端部で略水平方向に延長した噴口部２２とからなる。
本体部２１及び噴口部２２の軸芯部分には、エアゾール容器の内容液が流通する流通路２１ｐが形成され、この流通路２１ｐの先端が噴口２２ｓとなっている。
【００４５】
流通路２１ｐの基端部は、エアゾール容器の上端部に設けられているバルブステムＳ（図１（Ｅ）図参照）に接続するステム接続部２１ｂが設けられており、押下ボタン２０の本体部２１の中間部の外径は、その上下の両端部の外径よりも小さく（細く）形成されている。
【００４６】
この押下ボタン２０の本体部２１の中間部の外径が細く形成されていることにより、キャップ本体２０がエアゾール容器から離脱された際に、押下ボタン２０は、内側筒部材１２の中央の貫通穴１８から抜け落ちることがなくなる。この点は、次の図３において再度説明する。
【００４７】
また、押下ボタン２０の本体部２１の下端部の外周面には、環状の突条部２１ｔを設けており、この突条部２１ｔの存在も、押下ボタン２０が内側筒部材１２の貫通穴１８から外部に離脱することを防止する機能を有する。
この突条部２１ｔは、本体部２１の下端部の外周面の周り全体に環状に設けているが、この突条部２１ｔを多数の突起にて環状に配置して設けても良いし、所定の長さの突条部を断続的に設けてもよいものである。つまり、種々の形態の突出部であればよい。
他方、内側筒部材１２の貫通穴１８の上端内周面にも環状の突出部を設けるのも自由であり、この突出部により、上記突条部２１ｔと同様に、押下ボタン２０の抜け落ちが防止される。
【００４８】
更に、外側筒部材１１の上下摺動ストロークを規制する上下摺動範囲規制手段について説明すると、この上下摺動範囲規制手段は、外側筒部材１１の細径部を下方に延長した壁面部３０の下端部を内向きに延長して設けた環状凸部１１ｔと、内側筒部材１２の細径部の下端部分の外周面に設けた環状の凹部（窪み）１２ｈとから構成される。
上記外側筒部材１１の壁面部３０の環状凸部１１ｔが、上記内側筒部材１２の細径部の下端外周面に設けられた環状の凹部１２ｈと適合して、その上下の摺動範囲が規制されるのである。
【００４９】
図３は、上記実施形態に係るボタンキャップを示しており、エアゾール容器と分離できる状態を示し、その（Ａ）が平面図、その（Ｂ）が（Ａ）図のＢ−Ｂ線拡大断面図、その（Ｃ）が斜視図である。
この実施形態においては、外側筒部材１１が上方に摺動移行され、内側筒部材１２の上端部の押圧受部（膨出部１５）が外側筒部材１１の上端部の押圧部によって半径方向中心部に押圧されて、内側筒部材１２の上端部分の切欠部１５ｔが狭められた状態となっている。
【００５０】
このように内側筒部材１２の上端部が内側方向に集束されると、その下端部の保持部１３の切欠部１３ｋが反作用により逆に拡開するのである。
即ち、このとき、外側筒部材１１は、上方に移動しているために、内側筒部材１２の下端の保持部１３が拡開できるのである。
これにより、内側筒部材１２の下端の保持部１３がエアゾール容器の上端周縁部Ｊ（図１（Ｅ）参照）から容易に離脱できることとなるのである。
【００５１】
この図３の状態で、キャップ本体１０は、他の新しいエアゾール容器に簡単に付け替えることが可能となるのである。
換言すれば、一つのエアゾール容器の上端周縁部にこのボタンキャップを装着して使用し、その内容液が全て排出された後、他の新しいエアゾール容器の上端周縁部に付け替え、同じボタンキャップを利用して他の新しいエアゾール容器の内容液を排出噴霧することができることとなるのである。
【００５２】
図４は、上記実施形態に係るボタンキャップの内側筒部材を図示しており、その（Ａ）が平面図、その（Ｂ）が正面図、その（Ｃ）が底面図、その（Ｄ）が（Ａ）図のＤ−Ｄ線断面図、その（Ｅ）が（Ａ）図のＥ−Ｅ線断面図である。
【００５３】
これらの図からよく解る通り、内側筒部材１２は、上方の細径部と下方の太径部との境界部に平面部１７が形成され、細径部には切欠部１５ｋが４つ周方向に同一間隔に設けられ、同様に下方の太径部の方にも、切欠部１３ｋが４つ周方向に同一間隔に設けられている。
この実施形態では、それぞれ４つの切欠部１５ｋと切欠部１３ｋとは、同一位置に形成している。
【００５４】
この内側筒部材１２の中央部上下方向には、貫通穴１８が形成されており、この貫通穴１８内に押下ボタンの本体部が挿通されるのである。
上端縁部の膨出部１５は、半径方向外側に膨出した形態を有しており、この膨出部１５が押圧受部となって、図示はしていない外側筒部材が上方に摺動することにより、その上端部が押圧部となって前記膨出部１５からなる押圧受部を半径方向中心部に押圧し、集束させ、これの反作用により、内側筒部材１２の下端の保持部１３が拡開することができるのである。
【００５５】
というのも、保持部１３にも切欠部１３ｋが設けられているからである。
更に、この内側筒部材１２の上方の細径部の基端部（図中下端部）には、周方向の全体に環状凹部１２ｈが形成されている。
この環状凹部１２ｈに外側筒部材１１の壁面部３０の下端に設けられた環状凸部１１ｔが適合して、外側筒部材１１の上下方向摺動範囲を規制することができるのである。
【００５６】
図５は、本発明のボタンキャップに係る第２実施形態を図示したものであり、その（Ａ）が装着状態の正面図、その（Ｂ）が（Ａ）図のＢ−Ｂ線断面図、その（Ｃ）が分離直前の正面図、その（Ｄ）が（Ｃ）図のＤ−Ｄ線断面図を示している。
【００５７】
この第２実施形態においては、上記第１実施形態と反対で、内側筒部材３２の方が上下に摺動可能に形成されている。
この第２実施形態に係るボタンキャップは、キャップ本体３３と押下ボタン２０とから成る。
キャップ本体３３は、外側に位置する外側筒部材３１と、その外側筒部材３１の内側に位置する内側筒部材３２とから成る。
これらの構成部材は、上記第１実施形態と同様に合成樹脂製である。
【００５８】
内側筒部材３２は、上記外側筒部材３１の内側で上下に摺動することができる。
押下ボタン２０は、上下方向に垂立しており、その上端部の側面に噴口２２ｓが形成され、上記押下ボタン２０は内側筒部材３２の中央上下方向の貫通穴３８内で上下動可能に挿通されている。
この押下ボタン２０の下端外周部には、内側筒部材３２の内壁面と接続する複数の接続片２０ｓが設けられている。
この押下ボタン２０については、後の図７において更に説明を加える。
【００５９】
図１（Ａ）（Ｂ）においては、内側筒部材３２が最下端に位置した状態を図示しており、この状態がエアゾール容器Ｙの上端周縁部Ｊにキャップが装着され、固着されたときの状態である。
実際に装着する際には、後に詳述するが、内側筒部材３２を上方に移動し、その後この内側筒部材３２を下方に移動して装着できる。
【００６０】
この実施形態においては、外側筒部材３１の下端部分が保持部３４となっており、この保持部３４の下端外周縁に環状突条部３４ｔが設けられている。
この保持部３４の環状突条部３４ｔがエアゾール容器Ｙの上端周縁部Ｊの内側下縁に適合し、キャップ本体３３が保持される。
即ち、上記保持部３４及び環状突条部３４ｔがエアゾール容器Ｙの上端周縁部Ｊを内側から保持する保持部を構成するのである。
【００６１】
エアゾール容器Ｙの上端周縁部Ｊというのは、エアゾール容器Ｙの上端部のマウンテンカップの周縁部を加締めて形成した環状の周縁部のことを意味し、この環状の周縁部Ｊの内側下縁を上記保持部の環状突条部３４ｔが適合し又は係合して、キャップ本体３３がエアゾール容器Ｙの上端周縁部Ｊに装着されるのである。
【００６２】
そして、この外側筒部材３１の内側に位置する内側筒部材３２の下端部分の保持部接合部３５が上記保持部の内周に接合し、保持部が半径方向内側に縮径することを阻止する。
これにより、外側筒部材３１の保持部は、エアゾール容器Ｙの上端周縁部Ｊから離脱することができないこととなるのである。
【００６３】
尚、この実施形態では、外側筒部材３１は、次の図６にて説明するが、二重の壁面部を有する筒体形態を有しており、その内側の壁面部の下端部分が保持部３４を形成している。
そして、この保持部３４には、その縦方向に複数の切欠部が設けられ、容易にその外径が縮径できるように形成されている。
【００６４】
また、この実施形態では、内側筒部材３２の下端部分の保持部接合部３５の上端に段部３５ｄを設けているため、この段部３５ｄからその下端部までが、内側筒部材３２の上下の摺動範囲（ストローク）を規制することができ、この部分が内側筒部材３２の上下摺動範囲規制手段となる。
【００６５】
このボタンキャップをエアゾール容器Ｙから分離して取り外す際は、内側筒部材３２を図５（Ｄ）の矢印Ｆの上方向に引き上げればよいのである。
図５（Ｄ）に示した通り、内側筒部材３２が上方に摺動され、移行されると、内側筒部材３２の下端部の保持部接合部３５が外側筒部材３１の下端部分の保持部３４からその接合が外れ、当該保持部３４が縮径できる状態となり、そのままキャップ本体３３を上方に引き上げることによりキャップ本体３３がエアゾール容器Ｙから分離されるのである。
【００６６】
図６は、上記第２実施形態に係る外側筒部材を図示しており、その（Ａ）が正面図、その（Ｂ）が平面図、その（Ｃ）が底面図、その（Ｄ）が斜視図、その（Ｅ）が（Ａ）図のＥ−Ｅ線断面図である。
【００６７】
この図に示した通り、外側筒部材３１は、底面開口の二重の壁面部を有する有底筒体形状を有し、中央上下方向には貫通穴３９が設けられた形態を有する。
この内側の壁面部の下端部分が保持部３４を形成し、上記した通り、保持部３４の下端部には環状突条部３４ｔが設けられている。
【００６８】
更に、外側筒部材３１の保持部３４には、その上下方向に４つの切欠部３４ｋが設けられており、この保持部３４の外径が縮径できる構成である。
以上の構成により、保持部３４の下端の環状突条部３４ｔは、エアゾール容器の上端周縁部の内側に嵌入し、その下縁部に適合して、装着されることになるのである。
【００６９】
図７は、上記第２実施形態に係る内側筒部材と押下ボタンを図示しており、その（Ａ）が正面図、その（Ｂ）が平面図、その（Ｃ）が底面図、その（Ｄ）が斜視図、その（Ｅ）が（Ａ）図のＥ−Ｅ線断面図である。
【００７０】
この図から良く解る通り、押下ボタン２０は、内部に導通路が形成され、その下端の入口部がエアゾール容器のバルブステムと接続するステム接続部２０ｅとなり、その出口部が噴口２２ｓを成す。
また、この押下ボタン２０は、その下端外周部で４つの接続片２０ｓによって、内側筒部材３２の内壁面と接続している。
この接続片２０ｓは、柔軟性を有する合成樹脂素材から形成されており、その数も自由に設定することができる。
【００７１】
この内側筒部材３２は、その全体が筒体形状を有し、その内壁面の上下略中央部で上記押下ボタン２０と４つの接続片２０ｓによって接続している。
他方、その外壁面の上下略中央部には、段部３５ｄが設けられ、その下方部分がその上方部分よりも外径が小さく形成されている。
【００７２】
そして、その外壁面の下端部外周縁には、突条部３２ｔが形成されている。
この突条部３２ｔが、上記外側筒部材３１の保持部３４の下端の環状突条部３４ｔに内側から接合することとなる。
即ち、内側筒部材３２が下端位置に位置した時に、上記保持部３４の環状突条部３４ｔを内側から接合し、当該環状突条部３４ｔの縮径を阻止することができるのである。
【００７３】
また、上記段部３５ｄの下方部分の細径部分が、上記した通り保持部接合部３５となるのであるが、この保持部接合部３５がその上方部分よりも細径に形成され、前記外側筒部材３１の保持部３４と接合するために、この細径部分（保持部接合部３５）が内側筒部材３２の上下摺動範囲を規制することができる上下摺動範囲規制手段となる。
【００７４】
以上の構成からなる本発明の第２実施形態に係るボタンキャップは、エアゾール容器の上端のマウンテンカップの周縁部に装着されて容器の内容物の吐出が行われ、当該内容物が排出され使用終了となった際には、上記内側筒部材３２を上方に引き上げて、外側筒部材３１の保持部３４による保持を解除して、キャップ本体３３を容器から取り外し、他の新しいエアゾール容器に装着することができることとなるのである。
【００７５】
以上、本発明の実施形態について説明したが、本発明においては以下の通り種々設計変更をすることができる。
まず、第１実施形態においては、以下の通り設計変更可能である。
キャップ本体及び押下ボタンのサイズ及び形状は種々設計変更することができる。
即ち、キャップ本体の外側筒部材及び内側筒部材として、上記第１実施形態では、上方の細径部と下方の太径部とから成り、中間に段部等の境界部を有する形態のものを採用したが、この境界部に段部等を明確に設けずに、上方から下方に向かって曲線的に細径部から太径部に至る形態を採用することもできる。
【００７６】
下方が上方よりもより太い径のものであれば、外側筒部材が内側筒部材から下方に離脱することができないからである。
内側筒部材の下端部及び上端部に設けた上下方向の切欠部の数は、上記第１実施形態では同一間隔に４つ設けたが、その数は複数であれば、幾つでもよい。
内側筒部材の上端部が半径方向中心部に集束され、この反作用でその下端部が適切に拡開できるものであればよいのである。
【００７７】
内側筒部材の上端部の膨出部の形態も自由に設計することができ、この膨出部を外側の外側筒部材の上端部が上方に摺動しつつ半径方向中心部に押圧できる形態であればよい。
この内側筒部材の膨出部（押圧受部）を押圧する外側筒部材の上端部（押圧部）は、上方に向かって拡開する形態を有することが極めて望ましい。これにより、外側筒部材の上端部が適切に内側筒部材の膨出部を押圧しつつ摺動移行が可能となるからである。
【００７８】
内側筒部材の下端保持部の内周縁部に設けた環状突条部も、上記第１実施形態では、保持部の内周面の全体に環状に設けたが、この環状突条部も断続的に設けるのも自由である。
適切にエアゾール容器の上端周縁部を保持できる形態であればよいからである。
外側筒部材においても、内側筒部材と同様に、細径部と太径部との間に平面部を設け、この平面部が内側筒部材の平面部と当接する形態とすることもできる。
【００７９】
外側筒部材と内側筒部材の間に設けた上下摺動範囲規制手段に関しても自由に設計変更することができる。
上記第１実施形態では、外側筒体の細径部を下方に延長した壁面部の下端部に内向きに延長した環状凸部と、内側筒部材の細径部の下端部分の外周面に設けた環状の凹部（窪み）との適合により実施したが、これら両者の凸部と凹部との適合は、各種の形態で実施可能である。
また、これらの凸部と凹部は、外側筒部材と内側内部材の摺動面の何れか一方に設ければよく、何れの部分に設けるかは自由である。
【００８０】
上記第２実施形態では以下の通り設計変更可能である。
まず、上記第１実施形態と同様に、キャップ本体及び押下ボタンのサイズ及び形状等は種々設計変更することができる。
即ち、外側筒部材はその壁面部が二重構造となっているが、これが一重のものであってもよい。
【００８１】
つまり、少なくとも保持部を形成する壁面部があれば、実施可能であるが、その外観のスマートさを考慮すれば、壁面部は二重構造の方が望ましい。
保持部に設けた切欠部の数も任意に設定することができる。
保持部の下端外周縁に設けた環状突条部も、その全周に設けなくとも実施可能である。
【００８２】
内側筒部材の下方部分の保持部接合部（上下摺動範囲規制手段）の上下方向長さも適宜設定することができる。
押下ボタンも自由に設計することができ、単に鉛直棒状のものでなく、噴口に向かって略直角に折れ曲がった第１実施形態の如きものを利用することもできる。
【００８３】
以上、本発明は、キャップ本体の構成を外側筒部材と内側筒部材とから構成し、外側筒部材を内側筒部材の外側で上下に摺動可能とし、或いは、内側筒部材を外側筒部材の内側で上下に摺動可能とし、当該上下移動により、内側筒部材の下端保持部が拡開することにより、或いは、外側筒部材の下端保持部が縮径することにより、当該保持部がエアゾール容器の上端周縁部から離脱し及び装着され、容易に他の新しいエアゾール容器に付け替えることが可能となるボタンキャップを提供することができたものである。
【符号の説明】
【００８４】
１０、３３  キャップ本体
１１、３１  外側筒部材
１１ｔ  凸部
１２、３２  内側筒部材
１２ｈ  凹部
１３、３４  保持部
１３ｋ、３４ｋ  切欠部
１３ｔ、３４ｔ  環状突条部
１４、３５  保持部接合部
１５  膨出部（押圧受部）
１５ｋ  切欠部
１６  上端部（押圧部）
１７  平面部
１８、３８、３９  貫通穴
１９  段部
２０  押下ボタン
２０ｅ  ステム接続部
２１  本体部
２１ｂ  ステム接続部
２１ｐ  流通路
２１ｔ、３４ｔ  環状突条部
２２  噴口部
２２ｓ  噴口
３０  壁面部
３２ｔ  突条部
３５ｄ  段部
Ｊ  上端周縁部
Ｓ  バルブステム
Ｙ  エアゾール容器
【図１】
0006482290.tif 000002
【図２】
0006482290.tif 000003
【図３】
0006482290.tif 000004
【図４】
0006482290.tif 000005
【図５】
0006482290.tif 000006
【図６】
0006482290.tif 000007
【図７】
0006482290.tif 000008